(57)【要約】【課題】本発明は、ＶＲシンクロの励磁信号線を二分することにより、断線検出と冗長を得ることである。【解決手段】本発明による冗長型ＶＲシンクロの断線検出方法及び装置は、前記励磁信号線(5)は励磁電源(6)に対して並列に接続された第１、第２励磁信号線部(5a,5b)からなり、前記第１〜第３出力信号線(2,3,4)の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部(5a,5b)の何れかが断線であると判断する方法と構成である。【選択図】図２
2015184249.tif 000002
【特許請求の範囲】
【請求項１】
輪状ステータ(1)に設けられ励磁電源(6)に接続された励磁信号線(5)と、前記輪状ステータ(1)に設けられ三相の第１〜第３出力信号線(2,3,4)と、前記輪状ステータ(1)の内側に回転自在に設けられ磁性体からなるロータ(10)とを備え、
前記励磁信号線(5)による励磁状態下で前記ロータ(10)が回転することにより、前記第１〜第３出力信号線(2,3,4)から第１〜第３シンクロ信号(2a,3a,4a)を得るようにしたＶＲシンクロにおいて、
前記励磁信号線(5)は励磁電源(6)に対して並列に接続された第１、第２励磁信号線部(5a,5b)からなり、
前記第１〜第３出力信号線(2,3,4)の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部(5a,5b)の何れかが断線であると判断することを特徴とする冗長型ＶＲシンクロの断線検出方法。
【請求項２】
輪状ステータ(1)に設けられ励磁電源(6)に接続された励磁信号線(5)と、前記輪状ステータ(1)に設けられ三相の第１〜第３出力信号線(2,3,4)と、前記輪状ステータ(1)の内側に回転自在に設けられ磁性体からなるロータ(10)とを備え、
前記励磁信号線(5)による励磁状態下で前記ロータ(10)が回転することにより、前記第１〜第３出力信号線(2,3,4)から第１〜第３シンクロ信号(2a,3a,4a)を得るようにしたＶＲシンクロにおいて、
前記励磁信号線(5)は励磁電源(6)に対して並列に接続された第１、第２励磁信号線部(5a,5b)からなり、
前記第１〜第３出力信号線(2,3,4)の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部(5a,5b)の何れかが断線であると判断するように構成したことを特徴とする冗長型ＶＲシンクロの断線検出装置。
【発明の詳細な説明】
【技術分野】
【０００１】
本発明は、冗長型ＶＲシンクロの断線検出方法及び装置に関し、特に、励磁電源に対して励磁信号線部を並列一対構成とし、各励磁信号線部の一方が断線した場合に出力側の出力レベルが半分となることで、断線検出を可能とするための新規な改良に関する。
【背景技術】
【０００２】
従来、用いられていたこの種のレゾルバとしては、文献名は挙げていないが、例えば、図３及び図４で示される従来構成を挙げることができる。
すなわち、図３において符号１で示されるものは輪状ステータであり、この輪状ステータ１の周知の突出磁極(図示せず)には、１２０°毎のスター結線となる出力巻線からなる第１〜第３出力信号線２,３,４が設けられ、前記各出力信号線２,３,４からは第１〜第３シンクロ信号２ａ，３ａ，４ａが出力されるように構成されている。
【０００３】
前記輪状ステータ１の前記突出磁極には、励磁巻線からなる励磁信号線５が設けられ、この励磁信号線５は図示しない周知のＳ／Ｄ変換器の励磁電源６に接続されている。
尚、前記各出力信号線２,３,４のグランド側ＧＮＤと前記励磁信号線５のグランド側ＧＮＤとは、互いに接続されて接地されている。
前記輪状ステータ１の内側には、ＶＲ（バリアブルリラクタンス）型のロータ１０が回転自在に設けられている。
【０００４】
前述の図３において、前記励磁電源６からの励磁信号６ａが前記励磁信号線５に供給されている状態下で、ロータ１０が回転すると、ロータ１０が真円ではなく所定のギャップパーミアンスが得られるように非円形に構成されているため、前記各出力信号線２,３,４からは前記ギャップパーミアンスに応じた回転角度信号である第１〜第３シンクロ信号２ａ，３ａ，４ａが出力され、前記各シンクロ信号２ａ，３ａ，４ａは、図示しない周知のＳ／Ｄ変換器によってデジタル信号化される。
尚、図３の通常時における前述の各出力信号線２,３,４からの出力方程式は、次の数１の第１式で示される通りである。
【０００５】
【数１】
2015184249.tif 000003
【０００６】
次に、前述の図３の通常時において、図４で示されるように前記励磁信号線５に断線が発生すると、断線時における出力方程式は、次の数２の第２式で示されるように、出力信号は零となる。
【０００７】
【数２】
2015184249.tif 000004
【０００８】
また、他の従来構成を示す文献としては、特許文献１の冗長型回転角検出装置を挙げることができる。
この特許文献１の構成においては、一対のレゾルバを用いて検出していた。
【先行技術文献】
【特許文献】
【０００９】
【特許文献１】特開２００９−２１０２８１号公報
【発明の概要】
【発明が解決しようとする課題】
【００１０】
従来の冗長型ＶＲシンクロは、以上のように構成されていたため、次のような課題が存在していた。
すなわち、図３及び図４で示される従来構成の場合、励磁巻線である励磁信号線が１個のみであるため、この励磁信号線が断線した場合には、各出力信号線からは出力が零となり、ＶＲシンクロを装着している装置全体に重大な悪影響を与えることになっていた。
また、特許文献１の構成においては、レゾルバを２個用いると共に、各レゾルバの出力信号を処理するためのＲ／Ｄ変換系を二系統設けなくてはならず、コスト上は大きい障害となっていた。
【００１１】
本発明は、以上のような課題を解決するためになされたもので、特に、励磁電源に対して励磁信号線を並列一対構成とし、励磁信号線の一方が断線した場合に出力側の出力レベルが半分となることで、断線検出を可能とする冗長型ＶＲシンクロの断線検出方法及び装置を提供することを目的とする。
【課題を解決するための手段】
【００１２】
本発明による冗長型ＶＲシンクロの断線検出方法は、輪状ステータに設けられ励磁電源に接続された励磁信号線と、前記輪状ステータに設けられ三相の第１〜第３出力信号線と、前記輪状ステータの内側に回転自在に設けられ磁性体からなるロータとを備え、前記励磁信号線による励磁状態下で前記ロータが回転することにより、前記第１〜第３出力信号線から第１〜第３シンクロ信号を得るようにしたＶＲシンクロにおいて、前記励磁信号線は励磁電源に対して並列に接続された第１、第２励磁信号線部からなり、前記第１〜第３出力信号線の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部の何れかが断線であると判断する方法であり、また、本発明による冗長型ＶＲシンクロの断線検出装置は、輪状ステータに設けられ励磁電源に接続された励磁信号線と、前記輪状ステータに設けられ三相の第１〜第３出力信号線と、前記輪状ステータの内側に回転自在に設けられ磁性体からなるロータとを備え、前記励磁信号線による励磁状態下で前記ロータが回転することにより、前記第１〜第３出力信号線から第１〜第３シンクロ信号を得るようにしたＶＲシンクロにおいて、前記励磁信号線は励磁電源に対して並列に接続された第１、第２励磁信号線部からなり、前記第１〜第３出力信号線の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部の何れかが断線であると判断するように構成したものである。
【発明の効果】
【００１３】
本発明による冗長型ＶＲシンクロの断線検出方法及び装置は、以上のように構成されているため、次のような効果を得ることができる。
すなわち、輪状ステータに設けられ励磁電源に接続された励磁信号線と、前記輪状ステータに設けられ三相の第１〜第３出力信号線と、前記輪状ステータの内側に回転自在に設けられ磁性体からなるロータとを備え、前記励磁信号線による励磁状態下で前記ロータが回転することにより、前記第１〜第３出力信号線から第１〜第３シンクロ信号を得るようにしたＶＲシンクロにおいて、前記励磁信号線は励磁電源に対して並列に接続された第１、第２励磁信号線部からなり、前記第１〜第３出力信号線の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部の何れかが断線であると判断することにより、励磁側の第１、第２励磁信号線部の何れかが断線した場合、出力側の各シンクロ信号の出力電圧は半分となるが、角度検出信号の出力は維持することができ、冗長を得ることができる。
【図面の簡単な説明】
【００１４】
【図１】本発明による冗長型ＶＲシンクロの断線検出方法及び装置を示す構成図である。
【図２】図１の断線発生状態を示す構成図である。
【図３】従来のＶＲシンクロを示す構成図である。
【図４】図３の断線発生状態を示す構成図である。
【発明を実施するための形態】
【００１５】
本発明による冗長型ＶＲシンクロの断線検出方法及び装置は、励磁電源に対して励磁信号線を並列一対構成とし、各励磁信号線部を並列一対構成とし、各励磁信号線部の一方が断線した場合に出力側の出力レベルが半分となることで断線検出を可能とすることである。
【実施例】
【００１６】
以下、図面と共に本発明による冗長型ＶＲシンクロの断線検出方法及び装置の好適な実施の形態について説明する。
尚、従来例と同一又は同等部分には同一符号を付して説明する。
図１において符号１で示されるものは、輪状ステータであり、この輪状ステータ１の周知の突出磁極(図示せず)には、１２０°毎のスター結線となる出力巻線からなる第１〜第３出力信号線２,３,４が設けられ、前記各出力信号線２,３,４からは第１〜第３シンクロ信号２ａ，３ａ，４ａが出力されるように構成されている。
【００１７】
前記輪状ステータ１の前記突出磁極には、励磁巻線からなる励磁信号線５が設けられ、この励磁信号線５の第１、第２励磁信号線部５ａ，５ｂは、互いに並列配線となるように構成されていると共に、図示しない周知のＳ／Ｄ変換器の励磁電源６に接続されている。
尚、前記各出力信号線２,３,４のグランド側ＧＮＤと前記各励磁信号線部５ａ，５ｂのグランド側ＧＮＤと前記励磁信号線５のグランド側ＧＮＤとは、互いに接続されて接地されている。
前記輪状ステータ１の内側には、ＶＲ（バリアブルリラクタンス）型のロータ１０が回転自在に設けられている。
【００１８】
前述の図１において、前記励磁電源６からの励磁信号６ａが前記励磁信号線部５ａ，５ｂに供給されている状態下で、ロータ１０が回転すると、ロータ１０が真円ではなく所定のギャップパーミアンスが得られるように非円形に構成されているため、前記各出力信号線２,３,４からは前記ギャップパーミアンスに応じた回転角度信号２ａ，３ａ，４ａが出力され、前記シンクロ信号２ａ，３ａ，４ａは図示しない周知のＳ／Ｄ変換器によってデジタル信号化される。
尚、図１の通常時における前述の各出力信号線２,３,４からの出力方程式は、次の数１の第１式で示される通りである。
【００１９】
【数３】
2015184249.tif 000005
【００２０】
次に、前述の図１の通常時において、図２で示されるように前記励磁信号線部５ａ，５ｂの何れかに断線が発生すると、各励磁信号線部５ａ，５ｂの巻線数は同一で構成されているため、断線した方の第１励磁信号線部５ａからの励磁信号６ａはなくなり、他方の第２励磁信号線部５ｂへの励磁信号６ａのみによる各出力信号線２〜4からの各シングル信号２ａ〜４ａとなり、この時の出力側の出力方程式は次の数３の第３式で示される通り、前述の第１式で得られる通常時の出力電圧レベルの２分の１となり、断線の検出と冗長の維持が可能で、この状態を断線として装置の稼働を停止させることもできる。さらに、他方の第２励磁信号線５ｂを断線した場合は出力電圧は零となり、装置の稼働は不能となる。
【００２１】
【数４】
2015184249.tif 000006
【００２２】
従って、本発明による冗長型ＶＲシンクロの断線検出方法及び装置の要旨とするところは、次の通りである。
輪状ステータ１に設けられ励磁電源６に接続された励磁信号線５と、前記輪状ステータ１に設けられ三相の第１〜第３出力信号線２,３,４と、前記輪状ステータ１の内側に回転自在に設けられ磁性体からなるロータ１０とを備え、前記励磁信号線５による励磁状態下で前記ロータ１０が回転することにより、前記第１〜第３出力信号線２,３,４から第１〜第３シンクロ信号２ａ,３ａ,４ａを得るようにしたＶＲシンクロにおいて、前記励磁信号線５は励磁電源６に対して並列に接続された第１、第２励磁信号線部5ａ，５ｂからなり、前記第１〜第３出力信号線２,３,４の３相中２相の１２０°位相差の出力信号から合成したｓｉｎθ及びｃｏｓθ信号はｓｉｎ２θ＋ｃｏｓ２θ＝Ｋで一定となり、前記Ｋが１／２Ｋとなった場合は、前記第１、第２励磁信号線部５ａ,５ｂの何れかが断線であると判断する方法と構成である。
【００２３】
尚、本発明における冗長型ＶＲシンクロの断線検出方法及び装置における前述の第１式及び第２式における周知の演算は、図示しない前述のＳ／Ｄ変換器又は演算部によって行われる。
【産業上の利用可能性】
【００２４】
本発明による冗長型ＶＲシンクロの断線検出方法及び装置は、励磁信号線を一対の励磁信号線部として冗長性を持たせているため、何れか一方の励磁信号線部が断線した場合でもシンクロの機能を継続すると共に、断線状態を検出することができる。
【符号の説明】
【００２５】
１    輪状ステータ
２    第１出力信号線
２ａ    第１シンクロ信号
３    第２出力信号線
３ａ    第２シンクロ信号
４    第３出力信号線
４ａ    第３シンクロ信号
５    励磁信号線
５ａ    第１励磁信号線部
５ｂ    第２励磁信号線部
６    励磁電源
６ａ    励磁信号
１０    ロータ
【図１】
2015184249.tif 000007
【図２】
2015184249.tif 000008
【図３】
2015184249.tif 000009
【図４】
2015184249.tif 000010